(57)【要約】  無線装置制御装置と無線装置との間の通信を確保する。  無線装置制御装置（１）の分割割り当て部（１ａ）は、デイジーチェーン接続される無線装置（２，３，…）と情報を送受信するためのフレームの情報領域を分割して、無線装置（２，３，…）に割り当てる。送信部１ｂは、分割割り当て部（１ａ）によって無線装置（２，３，…）に割り当てられた情報領域のアドレス情報を無線装置（２，３，…）に送信する。無線装置（２）の受信部（２ａ）は、無線装置制御装置（１）または無線装置（２）からフレームを受信する。位置認識部（２ｂ）は、受信されたフレームに含まれる位置情報に基づいて、デイジーチェーン接続されている自己の接続位置を認識する。取得部（２ｃ）は、位置認識部（２ｂ）によって認識された自己の接続位置に基づいてフレームを参照し、無線装置制御装置（１）と情報を送受信するためのフレームの情報領域のアドレス情報を取得する。
2010137126.tif 000002
【特許請求の範囲】
【請求項１】
内部でのデータ転送を共通インターフェースに基づいて行う基地局の無線装置制御装置において、
当該無線装置制御装置にデイジーチェーン接続される複数の無線装置と情報を送受信するためのフレームの情報領域を分割して前記複数の無線装置に割り当てる分割割り当て部と、
前記分割割り当て部によって前記複数の無線装置に割り当てられた前記情報領域のアドレス情報を前記複数の無線装置に送信する送信部と、
を有することを特徴とする無線装置制御装置。
【請求項２】
前記送信部は、前記フレームのベンダが自由に使用できるベンダ領域に前記アドレス情報を格納して前記複数の無線装置に送信することを特徴とする請求の範囲第１項記載の無線装置制御装置。
【請求項３】
前記送信部は、前記ベンダ領域に前記複数の無線装置が自無線装置の接続位置を認識するための位置情報を格納することを特徴とする請求の範囲第２項記載の無線装置制御装置。
【請求項４】
前記送信部は、前記複数の無線装置が前記位置情報に基づいて前記アドレス情報を取得できるように前記ベンダ領域に前記アドレス情報を格納して送信することを特徴とする請求の範囲第３項記載の無線装置制御装置。
【請求項５】
前記分割割り当て部は、前記複数の無線装置の台数分前記情報領域を分割することを特徴とする請求の範囲第１項記載の無線装置制御装置。
【請求項６】
前記複数の無線装置に送信する前記情報を前記複数の無線装置に割り当てた前記情報領域に格納して送信する情報送信部をさらに有することを特徴とする請求の範囲第１項記載の無線装置制御装置。
【請求項７】
前記ベンダ領域は、前記情報領域より早くリンクが確立されることを特徴とする請求の範囲第２項記載の無線装置制御装置。
【請求項８】
内部でのデータ転送を共通インターフェースに基づいて行う基地局の無線装置において、
当該無線装置を制御する無線装置制御装置または他の無線装置からフレームを受信する受信部と、
前記受信部によって受信された前記フレームに含まれる位置情報に基づいて前記無線装置制御装置にデイジーチェーン接続されている自無線装置の接続位置を認識する位置認識部と、
前記位置認識部によって認識された自無線装置の接続位置に基づいて前記フレームを参照し、前記無線装置制御装置と情報を送受信するための前記フレームの情報領域のアドレス情報を取得する取得部と、
を有することを特徴とする無線装置。
【請求項９】
前記位置認識部は、後段の無線装置が自無線装置の接続位置を認識できるように、前記後段の無線装置に送信する前記フレームに含まれる前記位置情報を変更することを特徴とする請求の範囲第８項記載の無線装置。
【請求項１０】
前記無線装置制御装置から当該無線装置宛に送信される前記情報を、前記取得部によって取得した前記アドレス情報に基づいて前記フレームの前記情報領域を参照して取得し、当該無線装置から前記無線装置制御装置に送信する前記情報を、前記取得部によって取得した前記アドレス情報に基づいて前記フレームの前記情報領域に格納する情報処理部をさらに有することを特徴とする請求の範囲第８項記載の無線装置。
【請求項１１】
内部でのデータ転送を共通インターフェースに基づいて行う基地局の無線装置制御装置の通信方法において、
当該無線装置制御装置にデイジーチェーン接続される複数の無線装置と情報を送受信するためのフレームの情報領域を分割して前記複数の無線装置に割り当てし、
前記複数の無線装置に割り当てられた前記情報領域のアドレス情報を前記複数の無線装置に送信する、
ことを特徴とする通信方法。
【請求項１２】
内部でのデータ転送を共通インターフェースに基づいて行う基地局の無線装置の通信方法において、
当該無線装置を制御する無線装置制御装置または他の無線装置からフレームを受信し、
受信された前記フレームに含まれる位置情報に基づいて前記無線装置制御装置にデイジーチェーン接続されている自無線装置の接続位置を認識し、
認識された自無線装置の接続位置に基づいて前記フレームを参照し、前記無線装置制御装置と情報を送受信するための前記フレームの情報領域のアドレス情報を取得する、
ことを特徴とする通信方法。
【発明の詳細な説明】
【技術分野】
【０００１】
本件は内部でのデータ転送を共通インターフェースに基づいて行う基地局の無線装置制御装置、無線装置、および通信方法に関する。
【背景技術】
【０００２】
携帯電話などの無線通信システムにおける基地局は、無線信号を処理する無線部（ＲＥ：Radio Equipment）と、ＲＥを制御する無線制御部（ＲＥＣ：Radio Equipment Control）とに分離することができる。このＲＥＣ−ＲＥ間を結ぶインターフェースとして、ＣＰＲＩ（Common public Radio Interface）がある（例えば、特許文献１参照）。ＣＰＲＩは、基地局内をＲＥとＲＥＣとに分離し、そのインターフェースをオープンにすることにより、基地局内の各部のマルチベンダ化を図ることができる。
【先行技術文献】
【特許文献】
【０００３】
【特許文献１】特開２００７−３１２１８５号公報
【発明の概要】
【発明が解決しようとする課題】
【０００４】
ＲＥＣとＲＥは、ＣＰＲＩで規定されているＳｌｏｗＣ＆Ｍ領域を共用して監視制御情報のやり取りを行う。このため、複数のＲＥをデイジーチェーン接続した場合に、例えば、１台のＲＥがＣＰＲＩを経由して送受信される監視制御信号のＳｌｏｗＣ＆Ｍ領域を占有して監視制御情報を送信すると、他のＲＥは、監視制御情報をＳｌｏｗＣ＆Ｍ領域に挿入することができず、ＲＥＣとＲＥ間の監視制御情報の通信が確保されないという問題点があった。【０００５】
図１８は、監視制御信号のＳｌｏｗＣ＆Ｍ領域の占有を説明する図である。図１８に示すようにＲＥ１１１〜１１３は、１台のＲＥＣ１０１にデイジーチェーン接続されている。ＲＥＣ１０１およびＲＥ１１１〜１１３は、ＣＰＲＩに基づいて監視制御情報を送受信する。【０００６】
ＲＥＣ１０１は、監視制御処理部１０１ａを有している。監視制御処理部１０１ａは、ＣＰＲＩリンクを経由して送受信される監視制御信号のＳｌｏｗＣ＆Ｍ領域を用いて、監視制御情報をＲＥ１１１〜１１３に送信する。また、監視制御処理部１０１ａは、受信した監視制御信号のＳｌｏｗＣ＆Ｍ領域から、ＲＥ１１１〜１１３より送信された監視制御情報を抽出する。【０００７】
ＲＥ１１１〜１１３は、ＣＰＲＩリンクから受信した監視制御信号のＳｌｏｗＣ＆Ｍ領域から監視制御情報を抽出する。また、ＲＥ１１１〜１１３は、自装置に関する監視制御情報を監視制御信号のＳｌｏｗＣ＆Ｍ領域に挿入し、ＣＰＲＩリンクに送出する。【０００８】
ここで、ＲＥ１１３が大量の監視制御情報を監視制御信号のＳｌｏｗＣ＆Ｍ領域に挿入したとする。ＲＥＣ１０１とＲＥ１１１〜１１３は、監視制御信号のＳｌｏｗＣ＆Ｍ領域を共用して監視制御情報のやり取りを行うため、ＲＥ１１１，１１２は、監視制御信号のＳｌｏｗＣ＆Ｍ領域に自分の監視制御情報を挿入することができなくなり、ＲＥＣ１０１およびＲＥ１１１〜１１３間の監視制御情報の通信は確保されなくなってしまう。【０００９】
本件はこのような点に鑑みてなされたものであり、無線装置制御装置と無線装置との間の通信を確保する無線装置制御装置、無線装置、および通信方法を提供することを目的とする。
【課題を解決するための手段】
【００１０】
上記課題を解決するために、内部でのデータ転送を共通インターフェースに基づいて行う基地局の無線装置制御装置が提供される。この無線装置制御装置は、当該無線装置制御装置にデイジーチェーン接続される複数の無線装置と情報を送受信するフレームの情報領域を分割して前記複数の無線装置に割り当てる分割割り当て部と、前記分割割り当て部によって前記複数の無線装置に割り当てられた前記情報領域のアドレス情報を前記複数の無線装置に送信する送信部と、を有する。【００１１】
また、上記課題を解決するために、内部でのデータ転送を共通インターフェースに基づいて行う基地局の無線装置が提供される。この無線装置は、当該無線装置を制御する無線装置制御装置または他の無線装置からフレームを受信する受信部と、前記受信部によって受信された前記フレームに含まれる位置情報に基づいて前記無線装置制御装置にデイジーチェーン接続されている自己の接続位置を認識する位置認識部と、前記位置認識部によって認識された自己の接続位置に基づいて前記フレームを参照し、前記無線装置制御装置と情報を送受信するための前記フレームの情報領域のアドレス情報を取得する取得部と、を有する。
【発明の効果】
【００１２】
開示の無線装置制御装置、無線装置、および通信方法によれば、無線装置制御装置と無線装置との間の通信を確保することができる。
本件の上記および他の目的、特徴および利点は本発明の例として好ましい実施の形態を表す添付の図面と関連した以下の説明により明らかになるであろう。
【図面の簡単な説明】
【００１３】
【図１】第１の実施の形態に係る基地局を示した図である。
【図２】第２の実施の形態に係る基地局のシステム構成例を示した図である。
【図３】監視制御信号のフレーム構成例を示した図である。
【図４】ハイパーフレームの詳細を示した図である。
【図５】コントロールワードマッピングを示した図である。
【図６】位置情報を説明する図である。
【図７】ＳｌｏｗＣ＆Ｍ領域のアドレス情報が格納されるベンダ領域を説明する図である。
【図８】ＳｌｏｗＣ＆Ｍ領域のアドレスとアドレスＩＤの関係を示したテーブルである。
【図９】ＲＥＣとＲＥとで送受信される監視制御情報の帯域を説明する図である。
【図１０】ＲＥＣのブロック図である。
【図１１】ＲＥのブロック図である。
【図１２】ＲＥＣのＳｌｏｗＣ＆Ｍ領域の分割処理を示したシーケンス図である。
【図１３】ＲＥのＳｌｏｗＣ＆Ｍ領域の割り当て情報受信処理を示したシーケンス図である。
【図１４】ＲＥＣの監視制御情報の送信処理を示したシーケンス図である。
【図１５】ＲＥの監視制御情報の受信処理を示したシーケンス図である。
【図１６】ＲＥの監視制御情報の送信処理を示したシーケンス図である。
【図１７】ＲＥＣの監視制御情報の受信処理を示したシーケンス図である。
【図１８】監視制御信号のＳｌｏｗＣ＆Ｍ領域の占有を説明する図である。
【発明を実施するための形態】
【００１４】
以下、第１の実施の形態を、図面を参照して詳細に説明する。
図１は、第１の実施の形態に係る基地局を示した図である。図１に示すように基地局は、無線装置制御装置１および無線装置２，３，…を有している。無線装置２，３，…は、無線装置制御装置１にデイジーチェーン接続されている。
【００１５】
無線装置制御装置１は、分割割り当て部１ａおよび送信部１ｂを有している。無線装置２は、受信部２ａ、位置認識部２ｂ、および取得部２ｃを有している。無線装置３は、図示していないが、無線装置２と同様に受信部、位置認識部、および取得部を有している。
【００１６】
無線装置制御装置１の分割割り当て部１ａは、無線装置２，３，…と送受信するフレームの、無線装置２，３，…と情報を送受信する情報領域を分割して無線装置２，３，…に割り当てる。無線装置２，３，…と送受信する情報は、例えば、無線装置２，３，…の監視および制御に関する情報である。
【００１７】
例えば、分割割り当て部１ａは、当該無線装置制御装置１に４台の無線装置がデイジーチェーン接続されている場合、フレームの情報領域を４等分し、４等分した情報領域のそれぞれに４台の無線装置のそれぞれを割り当てる。
【００１８】
送信部１ｂは、分割割り当て部１ａによって無線装置２，３，…に割り当てられた情報領域のアドレス情報を無線装置２，３，…に送信する。
例えば、送信部１ｂは、フレームのベンダが自由に使用できるベンダ領域に、無線装置２，３，…が自己の接続位置を認識するための位置情報を格納する。そして、送信部１ｂは、無線装置２，３，…がその位置情報に基づいて情報領域のアドレス情報を取得できるように、フレームのベンダ領域に情報領域のアドレス情報を格納して送信する。より具体的には、送信部１ｂは、ベンダ領域のアドレスの小さい順に、１段目から順に無線装置２，３，…に割り当てた情報領域のアドレス情報を格納する。これにより、１段目の無線装置２は、フレームのベンダ領域に格納されている位置情報により、無線装置制御装置１から１段目に接続されていることを認識し、１段目の無線装置のアドレス情報が格納されているベンダ領域を参照して、自己に割り当てられた情報領域のアドレス情報を取得する。
【００１９】
無線装置２の受信部２ａは、当該無線装置２を制御する無線装置制御装置１または他の無線装置３からフレームを受信する。
位置認識部２ｂは、受信部２ａによって受信されたフレームに含まれる位置情報に基づいて、無線装置制御装置１にデイジーチェーン接続されている自己の接続位置を認識する。
【００２０】
例えば、位置情報は、無線装置制御装置１から出力されたときは‘０’で、無線装置２，３，…を経由するたびに、無線装置２，３，…によって‘１’が加算される情報である。これにより、例えば、無線装置２の位置認識部２ｂは、‘０’の位置情報を受信することにより、無線装置制御装置１から１段目にデイジーチェーン接続されていることを認識できる。また、無線装置３は、‘１’の位置情報を受信することにより、無線装置制御装置１から２段目にデイジーチェーン接続されていることを認識できる。
【００２１】
取得部２ｃは、位置認識部２ｂによって認識された自己の接続位置に基づいてフレームを参照し、無線装置制御装置１と情報を送受信するためのフレームの情報領域のアドレス情報を取得する。
【００２２】
このように、無線装置制御装置１は、複数の無線装置２，３，…と情報を送受信するためのフレームの情報領域を分割して複数の無線装置２，３，…に割り当てる。これにより、情報領域の複数の無線装置２，３，…による占有を防止でき、無線装置制御装置１と無線装置２，３…との間の通信を確保することができる。
【００２３】
また、無線装置２，３，…は、無線装置制御装置１によって割り当てられた情報領域によって無線装置制御装置１と情報の送受信を行うので、情報領域の複数の無線装置２，３，…による占有を防止でき、無線装置制御装置１と無線装置２，３…との間の通信を確保することができる。
【００２４】
次に、第２の実施の形態を、図面を参照して詳細に説明する。
図２は、第２の実施の形態に係る基地局のシステム構成例を示した図である。図２には、基地局１１、端末４１，４２、および監視制御装置５１が示してある。
【００２５】
基地局１１は、ＲＥＣ２１およびＲＥ３１〜３４を有している。ＲＥＣ２１およびＲＥ３１〜３４は、例えば、光ファイバによって接続される。ＲＥ３１〜３４は、１台のＲＥＣ２１にデイジーチェーン接続されている。ＲＥＣ２１およびＲＥ３１〜３４は、ＣＰＲＩに基づいて監視制御信号を送受信する。図２には、４台のＲＥ３１〜３４を示しているが、もちろんこの台数よりも多く接続してもよいし、少なく接続してもよい。
【００２６】
端末４１，４２は、例えば、携帯電話である。端末４１は、例えば、ＲＥ３２と無線通信し、端末４２は、ＲＥ３３と無線通信を行う。端末４１，４２のデータは、ＲＥ３２，３３を介して監視制御信号によりＲＥＣ２１に送信される。ＲＥＣ２１に送信された端末４１，４２のデータは、例えば、図示していない他の基地局へ送信されて他の端末へと送信される。また、図示していない端末から送信されたデータは、ＲＥＣ２１によって受信され、監視制御信号によりＲＥ３１〜３３を介して、端末４１，４２に送信される。
【００２７】
監視制御装置５１は、例えば、基地局１１の保守者によって操作される。監視制御装置５１は、保守者の操作に応じて、ＲＥ３１〜３４を監視制御するための監視制御情報をＲＥＣ２１に送信する。
【００２８】
ＲＥＣ２１は、監視制御装置５１から送信された監視制御情報を終端し、監視制御信号のＳｌｏｗＣ＆Ｍ領域に挿入してＲＥ３１〜３４に送信する。ＳｌｏｗＣ＆Ｍ領域は、ＲＥＣ２１，ＲＥ３１〜３４を監視制御する監視制御情報が格納される領域である。ＳｌｏｗＣ＆Ｍ領域の情報は、ＨＤＬＣ（High-Level Data Link Control）形式で送受信される。
【００２９】
ＲＥ３１〜３４は、監視制御情報を監視制御信号のＳｌｏｗＣ＆Ｍ領域に挿入し、ＲＥＣ２１に送信する。ＲＥ３１〜３４の監視制御情報は、例えば、監視制御装置５１の監視制御情報に対する自装置の監視制御結果の情報である。ＲＥＣ２１は、ＲＥ３１〜３４から送信された監視制御情報を監視制御信号から抽出して終端し、監視制御装置５１に送信する。
【００３０】
ＲＥＣ２１およびＲＥ３１〜３４間で送受信される監視制御信号について説明する。図３は、監視制御信号のフレーム構成例を示した図である。監視制御信号は、図３に示すように、ベーシックフレーム、ハイパーフレーム、ＵＭＴＳ（Universal Mobile Telecommunication Systems）ラジオフレームの階層構造を持つ。２５６個のベーシックフレームの集合体がハイパーフレームとなり、１５０個のハイパーフレームの集合体がＵＭＴＳラジオフレームとなる。
【００３１】
ベーシックフレームは、インデックスとしてＸ０〜Ｘ２５５が付与され、ハイパーフレームは、インデックスとしてＺ０〜Ｚ１４９が付与される。また、ベーシックフレームは、行番号としてＹ０〜Ｙ３が付与される。ベーシックフレームは、Ｚ．Ｘ．Ｙ（Ｚ，Ｘ，Ｙ：正の整数）によって、ＵＭＴＳラジオフレーム内のどこに配置されているかを示すことができる。
【００３２】
ベーシックフレームは、図３に示すように、１６バイトを１単位とし、Ｙ０〜Ｙ３の値で管理される。ベーシックフレームの先頭の１バイトは、コントロールワード（ＣＷ）として定義される。ベーシックフレームの残りの１５バイトには、ＩＱデータが格納される。
【００３３】
図４は、ハイパーフレームの詳細を示した図である。図４には、１ハイパーフレームが示してある。上述したように、１ハイパーフレームは、Ｘ０〜Ｘ２５５の２５６個のベーシックフレームから構成される。図４に示すベーシックフレームの斜線部分は、コントロールワードを示す。
【００３４】
２５６個のベーシックフレームは、図４に示すように６４個のサブチャネルにまとめられる。各サブチャネルのベーシックフレームには、図に示すように、０〜６３のインデックスＮｓが付与される。また、各サブチャネル内のコントロールワードには、０〜４のインデックスＸｓが付与される。
【００３５】
１ハイパーフレーム内のコントロールワードは、２５６個のベーシックフレームを６４個のサブチャネルにまとめることによって、ヘッダとしての意味を持つ。
図５は、コントロールワードマッピングを示した図である。図５に示すように、コントロールワードは、１ハイパーフレームのベーシックフレームを６４サブチャネルにまとめることで、ヘッダとしての意味を持つ。図５のＸｓは、図４のＸｓに対応している。コントロールワードは、図５に示すようにまとめることによって、所定の意味を持つ。
【００３６】
ここで、ＳｌｏｗＣ＆Ｍ領域のアドレスは、図５の例の場合、Ｚ．１．０，Ｚ．６５．０，Ｚ．１２９．０，Ｚ．１９３．０となり、ＳｌｏｗＣ＆Ｍ領域の個数は、４個となる。ベーシックフレームの行番号Ｙ０〜Ｙ３を使用した場合は、ＳｌｏｗＣ＆Ｍ領域のアドレスは、Ｚ．１．０，Ｚ．６５．０，Ｚ．１２９．０，Ｚ．１９３．０，Ｚ．１．１，Ｚ．６５．１，Ｚ．１２９．１，Ｚ．１９３．１，Ｚ．１．２，Ｚ．６５．２，Ｚ．１２９．２，Ｚ．１９３．２，Ｚ．１．３，Ｚ．６５．３，Ｚ．１２９．３，Ｚ．１９３．３となり、ＳｌｏｗＣ＆Ｍ領域の個数は、１６個となる。以下では、ベーシックフレームは、行番号Ｙ０〜Ｙ３を使用するものとし、ＳｌｏｗＣ＆Ｍ領域の個数は、１６個として説明する。
【００３７】
図２に示すＲＥＣ２１は、複数のＳｌｏｗＣ＆Ｍ領域を分割し、ＲＥ３１〜３４に割り当てる。例えば、ＲＥＣ２１は、１６個のＳｌｏｗＣ＆Ｍ領域を４つに均等に分割し、ＲＥ３１に、アドレスＺ．１，０〜Ｚ．１，３のＳｌｏｗＣ＆Ｍ領域を割り当て、ＲＥ３２に、アドレスＺ．６５，０〜Ｚ．６５，３のＳｌｏｗＣ＆Ｍ領域を割り当て、ＲＥ３３に、アドレスＺ．１２９，０〜Ｚ．１２９，３のＳｌｏｗＣ＆Ｍ領域を割り当て、ＲＥ３４に、アドレスＺ．１９３，０〜Ｚ．１９３，３のＳｌｏｗＣ＆Ｍ領域を割り当てる。
【００３８】
ＲＥＣ２１は、ＲＥ３１〜３４に割り当てたＳｌｏｗＣ＆Ｍ領域を、ＳｌｏｗＣ＆Ｍ領域のアドレス情報によってＲＥ３１〜３４に通知する。ＲＥ３１〜３４は、通知を受けたアドレス情報に基づいて、自分の使用できるＳｌｏｗＣ＆Ｍ領域を認識し、認識したＳｌｏｗＣ＆Ｍ領域を用いて、監視制御情報の送受信を行う。
【００３９】
ＲＥＣ２１は、ＲＥ３１〜３４とＳｌｏｗＣ＆Ｍ領域のリンクを確立する前に、監視制御信号のベンダ領域（図５のVendor Specific）を用いて、ＲＥ３１〜３４に割り当てたＳｌｏｗＣ＆Ｍ領域のアドレス情報をＲＥ３１〜３４に通知する。このとき、ＲＥＣ２１は、ＲＥ３１〜３４が自分の接続位置を認識するための位置情報を、監視制御信号のベンダ領域に格納する。なお、ベンダ領域は、ユーザで自由に使用できる領域である。
【００４０】
ＲＥ３１〜３４のそれぞれは、ＳｌｏｗＣ＆Ｍ領域のアドレス情報と位置情報とを含む監視制御信号を受信すると、ベンダ領域の位置情報を、例えば、１インクリメントし、後段のＲＥ３１〜３４へ出力する。これにより、監視制御信号を受信したＲＥ３１〜３４のそれぞれは、ＲＥＣ２１から何番目にデイジーチェーン接続されているか、接続位置を認識することができる。
【００４１】
図６は、位置情報を説明する図である。図６には、図２で示したＲＥＣ２１とＲＥ３１〜３３が示してある。また、図６には、監視制御信号のベンダ領域に格納される位置情報６１〜６３が示してある。
【００４２】
ＲＥＣ２１は、位置情報６１に示すように、例えば、ベンダ領域（図５に示すベンダ領域の位置情報）に‘０’の位置情報を格納して、１段目のＲＥ３１に送信する。ＲＥ３１は、‘０’の位置情報の監視制御信号を受信することにより、ＲＥＣ２１から１段目にデイジーチェーン接続されていることを認識できる。
【００４３】
ＲＥ３１は、位置情報６２に示すように、ＲＥＣ２１から受信した位置情報に１を加算して後段のＲＥ３２に送信する。ＲＥ３２は、‘１’の位置情報の監視制御信号を受信することにより、ＲＥＣ２１から２段目にデイジーチェーン接続されていることを認識できる。
【００４４】
ＲＥ３２は、位置情報６３に示すように、ＲＥ３１から受信した位置情報に１を加算して後段のＲＥ３３に送信する。ＲＥ３３は、‘２’の位置情報の監視制御信号を受信することにより、ＲＥＣ２１から３段目にデイジーチェーン接続されていることを認識できる。以下、同様にして、後段のＲＥ３４は、自分がＲＥＣ２１からどの位置にデイジーチェーン接続されているか認識する。
【００４５】
ＲＥＣ２１は、前述したように、ＲＥ３１〜３４に割り当てたＳｌｏｗＣ＆Ｍ領域のアドレス情報と位置情報とを監視制御信号のベンダ領域に格納して、ＲＥ３１〜３４に送信する。ＲＥＣ２１は、ベンダ領域とＲＥ３１〜３４の接続位置を対応付けて、ＲＥ３１〜３４に割り当てたＳｌｏｗＣ＆Ｍ領域のアドレス情報をベンダ領域に格納する。
【００４６】
例えば、ＲＥＣ２１は、図５に示すように、アドレスＺ．１６．０のベンダ領域と、ＲＥＣ２１から１段目に接続されたＲＥ１とを対応付け、１段目のＲＥ１に割り当てたＳｌｏｗＣ＆Ｍ領域のアドレス情報を、アドレスＺ．１６．０のベンダ領域に格納する。ＲＥＣ２１は、アドレスＺ．８０．０のベンダ領域と、ＲＥＣ２１から２段目に接続されたＲＥ２とを対応付け、２段目のＲＥ２に割り当てたＳｌｏｗＣ＆Ｍ領域のアドレス情報を、アドレスＺ．１６．０のベンダ領域に格納する。以下、同様に、ＲＥＣ２１は、ベンダ領域とＲＥＣ２１から３，４段目に接続されたＲＥ３，４とを対応付け、３，４段目のＲＥ３，４に割り当てたＳｌｏｗＣ＆Ｍ領域のアドレス情報を、アドレスＺ．１４４．０，Ｚ．２０８．０のベンダ領域に格納する。なお、図５のＲＥ１〜ＲＥ４は、図２のＲＥ３１〜３４に対応する。
【００４７】
ＲＥ３１〜３４のそれぞれは、ベンダ領域のどのアドレスに、ＲＥＣ２１から何段目に接続されたか、ＲＥ３１〜３４のＳｌｏｗＣ＆Ｍ領域のアドレス情報が格納されているか認識している。例えば、ＲＥ３１〜３４は、アドレスＺ．１６．０のベンダ領域に、１段目のＲＥ３１に割り当てたＳｌｏｗＣ＆Ｍ領域のアドレス情報が格納されていることを認識している。また、ＲＥ３１〜３４は、アドレスＺ．８０．０のベンダ領域に、ＲＥ３２に割り当てたＳｌｏｗＣ＆Ｍ領域のアドレス情報が格納されていることを認識している。
【００４８】
ＲＥ３１〜３４は、前述したように、位置情報によって自分の接続位置を認識する。これにより、ＲＥ３１〜３４は、ベンダ領域のどのアドレスを参照して、自分に割り当てられたＳｌｏｗＣ＆Ｍ領域のアドレス情報を取得すべきか認識できる。
【００４９】
例えば、ＲＥＣ２１から１段目に接続されたＲＥ３１は、アドレスＺ．１６．０のベンダ領域に、自分に割り当てられたＳｌｏｗＣ＆Ｍ領域のアドレス情報が格納されていることを認識する。そして、ＲＥ３１は、アドレスＺ．１６．０のベンダ領域に格納されているアドレス情報を取得する。ＲＥＣ２１から２段目に接続されたＲＥ３２は、アドレスＺ．８０．０のベンダ領域に、自分に割り当てられたＳｌｏｗＣ＆Ｍ領域のアドレス情報が格納されていることを認識する。そして、ＲＥＣ２１は、アドレスＺ．８０．０のベンダ領域に格納されているアドレス情報を取得する。
【００５０】
図７は、ＳｌｏｗＣ＆Ｍ領域のアドレス情報が格納されるベンダ領域を説明する図である。図７には、図５に示すＲＥ１用ＳｌｏｗＣ＆Ｍアドレス情報のベンダ領域が示してある。
【００５１】
図７に示すように、ベンダ領域は、８ビットのデータ領域を有している。ベンダ領域の上位４ビットは、ＲＥ１（ＲＥ３１）に割り当てたＳｌｏｗＣ＆Ｍ領域の開始アドレスのアドレスＩＤが格納され、下位４ビットは、ＲＥ３１に割り当てたＳｌｏｗＣ＆Ｍ領域の終了アドレスのアドレスＩＤが格納される。図７の例では、ＲＥ３１に割り当てられたＳｌｏｗＣ＆Ｍ領域のアドレスの開始アドレスＩＤは‘０’であり、ＲＥ３１に割り当てられたＳｌｏｗＣ＆Ｍ領域のアドレスの終了アドレスＩＤは‘３’である。他のＲＥ２〜４（ＲＥ３２〜３４）に割り当てられたベンダ領域も、図７と同様のデータ構成となっている。なお、以下では、開始アドレスＩＤと終了アドレスＩＤとをアドレスＩＤと表現することもある。
【００５２】
図８は、ＳｌｏｗＣ＆Ｍ領域のアドレスとアドレスＩＤの関係を示したテーブルである。図８に示すように、ＳｌｏｗＣ＆Ｍ領域のアドレスとアドレスＩＤとは、テーブルにて対応付けられている。ＲＥＣ２１およびＲＥ３１〜３４は、図８に示すテーブルを記憶装置に記憶している。
【００５３】
ＲＥＣ２１は、図８のテーブルを参照して、ＲＥ３１〜３４に割り当てたＣ＆Ｍ領域の開始アドレスと終了アドレスとをアドレスＩＤに変換し、アドレス情報として監視制御信号のベンダ領域に格納して、ＲＥ３１〜３４に送信する。
【００５４】
例えば、ＲＥＣ２１は、アドレスＺ．１．０〜Ｚ．１．３のＳｌｏｗＣ＆Ｍ領域をＲＥ３１に割り当てたとする。この場合、ＲＥＣ２１は、図８に示すテーブルを参照して、ＲＥ３１に割り当てたＳｌｏｗＣ＆Ｍ領域の開始アドレスＺ．１．０と終了アドレスＺ．１．３とを、開始アドレスＩＤ‘０’と終了アドレスＩＤ‘３’とに変換する。ＲＥＣ２１は、変換した開始アドレスＩＤ‘０’と終了アドレス‘３’とを、図７に示したようにＲＥ３１に対応するベンダ領域に格納する。
【００５５】
ＲＥ３１〜３４は、図８のテーブルを参照し、ベンダ領域に含まれるアドレスＩＤから、自分に割り当てられたＳｌｏｗＣ＆Ｍ領域を認識する。例えば、ＲＥ３１は、図７に示したベンダ領域を有する監視制御信号を受信したとする。この場合、ＲＥ３１は、図８のテーブルを参照し、ベンダ領域の開始アドレスＩＤ‘０’と終了アドレスＩＤ‘３’とから、自分に割り当てられたＳｌｏｗＣ＆Ｍ領域は、アドレスＺ．１．０〜Ｚ．１．３であることを認識する。
【００５６】
図９は、ＲＥＣとＲＥとで送受信される監視制御情報の帯域を説明する図である。図９には、図２で示したＲＥＣ２１とＲＥ３１〜３４が示してある。
ＲＥＣ２１は、ＲＥ３１にＺ．１．０，Ｚ．１．１，Ｚ．１．２，Ｚ．１．３のアドレスのＳｌｏｗＣ＆Ｍ領域を割り当てたとする。ＲＥＣ２１は、ＲＥ３２にＺ．６５．０，Ｚ．６５．１，Ｚ．６５．２，Ｚ．６５．３のアドレスのＳｌｏｗＣ＆Ｍ領域を割り当てたとする。ＲＥＣ２１は、ＲＥ３３にＺ．１２９．０，Ｚ．１２９．１，Ｚ．１２９．２，Ｚ．１２９．３のアドレスのＳｌｏｗＣ＆Ｍ領域を割り当てたとする。ＲＥＣ２１は、ＲＥ３４にＺ．１９３．０，Ｚ．１９３．１，Ｚ．１９３．２，Ｚ．１９３．３のアドレスのＳｌｏｗＣ＆Ｍ領域を割り当てたとする。
【００５７】
この場合、図９に示すように、ＲＥ３１〜３４は、自分に割り当てられたＳｌｏｗＣ＆Ｍ領域を用いてＲＥＣ２１と監視制御情報のやり取りをする。これにより、ＲＥ３１〜３４は、ＳｌｏｗＣ＆Ｍ領域の全部を占有するということはなく、監視制御情報の通信を確保できる。
【００５８】
図１０は、ＲＥＣのブロック図である。図１０に示すようにＲＥＣ２１は、運用データＤＢ（ＤＢ：Data Base）７１、監視制御部７２、ＳｌｏｗＣ＆Ｍ領域分割割り当て部７３、位置情報設定部７４、変換ＴＢ（ＴＢ：Table）７５、ベンダ領域データ処理部７６、ＳｌｏｗＣ＆Ｍ領域データ処理部７７、ＣＰＲＩフレーム処理部７８、および光デバイス７９を有している。
【００５９】
運用データＤＢ７１には、ＲＥＣ２１の運用データが記憶されている。運用データには、ＲＥＣ２１に接続されるＲＥ３１〜３４のデイジーチェーンの接続情報（デイジーチェーン接続情報）が含まれる。デイジーチェーン接続情報は、例えば、ＲＥＣ２１にデイジーチェーン接続されるＲＥ３１〜３４の接続台数を示す。ＲＥ３１〜３４の接続台数は、例えば、基地局１１の設計時に決定される。また、運用データＤＢ７１の接続台数は、ＲＥを追加接続する場合、変更することができる。
【００６０】
監視制御部７２は、ＲＥＣ２１の起動、監視、制御処理を行う。監視制御部７２は、例えば、ＲＥＣ２１の起動時に運用データＤＢ７１から運用データを読み出す。監視制御部７２は、読み出した運用データからデイジーチェーン接続情報を抽出して、ＳｌｏｗＣ＆Ｍ領域分割割り当て部７３に出力する。
【００６１】
また、監視制御部７２は、ＲＥ３１〜３４に送信する監視制御情報を、ＳｌｏｗＣ＆Ｍ送信情報としてＳｌｏｗＣ＆Ｍ領域データ処理部７７に出力する。また、監視制御部７２は、ＳｌｏｗＣ＆Ｍ領域データ処理部７７から出力されるＳｌｏｗＣ＆Ｍ受信情報を受信する。
【００６２】
ＳｌｏｗＣ＆Ｍ領域分割割り当て部７３は、監視制御部７２から出力されるデイジーチェーン接続情報に基づいてＳｌｏｗＣ＆Ｍ領域を分割し、分割したＳｌｏｗＣ＆Ｍ領域をＲＥ３１〜３４に割り当てる。ＳｌｏｗＣ＆Ｍ領域分割割り当て部７３は、ＳｌｏｗＣ＆Ｍ領域の分割割り当て結果を、分割割り当て情報としてベンダ領域データ処理部７６とＳｌｏｗＣ＆Ｍ領域データ処理部７７とに出力する。
【００６３】
例えば、図２の例の場合、４台のＲＥ３１〜３４がデイジーチェーン接続されており、デイジーチェーン接続情報は‘４’となる。また、ＳｌｏｗＣ＆Ｍ領域の個数は、例えば、ベーシックフレームの行番号Ｙ０〜Ｙ３を使用した場合、１６個となる。ＳｌｏｗＣ＆Ｍ領域分割割り当て部７３は、例えば、１６個のＳｌｏｗＣ＆Ｍ領域を４等分し、初段のＲＥ３１から順に４個のＳｌｏｗＣ＆Ｍ領域を均等に割り当て、分割割り当て情報をベンダ領域データ処理部７６とＳｌｏｗＣ＆Ｍ領域データ処理部７７とに出力する。より具体的には、ＳｌｏｗＣ＆Ｍ領域分割割り当て部７３は、ＲＥ３１にＺ．１．０，Ｚ．１．１，Ｚ．１．２，Ｚ．１．３の４個のＳｌｏｗＣ＆Ｍ領域を割り当てる。ＲＥ３２にＺ．６５．０，Ｚ．６５．１，Ｚ．６５．２，Ｚ．６５．３の４個のＳｌｏｗＣ＆Ｍ領域を割り当てる。ＲＥ３３にＺ．１２９．０，Ｚ．１２９．１，Ｚ．１２９．２，Ｚ．１２９．３の４個のＳｌｏｗＣ＆Ｍ領域を割り当てる。ＲＥ３４にＺ．１９３．０，Ｚ．１９３．１，Ｚ．１９３．２，Ｚ．１９３．３の４個のＳｌｏｗＣ＆Ｍ領域を割り当てる。ＳｌｏｗＣ＆Ｍ領域分割割り当て部７３は、これらの分割割り当て情報をベンダ領域データ処理部７６とＳｌｏｗＣ＆Ｍ領域データ処理部７７とに出力する。
【００６４】
位置情報設定部７４は、自装置位置情報をベンダ領域データ処理部７６に出力する。自装置位置情報は、ＲＥ３１〜３４が自分の接続位置を認識するための位置情報であり、例えば、‘０’である。
【００６５】
変換ＴＢ７５には、図８で示したように、ＳｌｏｗＣ＆Ｍ領域のアドレスとアドレスＩＤとの関係が記憶されている。
ベンダ領域データ処理部７６は、ＳｌｏｗＣ＆Ｍ領域分割割り当て部７３から出力される分割割り当て情報に基づいて変換ＴＢ７５を参照し、監視制御信号のベンダ領域に格納するアドレスＩＤ（アドレス情報）を取得する。ベンダ領域データ処理部７６は、変換ＴＢ７５を参照して取得したアドレスＩＤと、位置情報設定部７４から出力される自装置位置情報とを、ベンダ領域送信データとしてＣＰＲＩフレーム処理部７８に出力する。
【００６６】
例えば、ベンダ領域データ処理部７６は、ＳｌｏｗＣ＆Ｍ領域分割割り当て部７３から出力される分割割り当て情報に基づいて変換ＴＢ７５を参照し、ＲＥ３１〜３４に割り当てられたＳｌｏｗＣ＆Ｍ領域の開始アドレスＩＤと終了アドレスＩＤとを取得する。図８の例の場合、ベンダ領域データ処理部７６は、ＲＥ３１に割り当てるＳｌｏｗＣ＆Ｍ領域の開始アドレスＩＤと終了アドレスＩＤとして、‘０’と‘３’を取得する。また、ベンダ領域データ処理部７６は、ＲＥ３２に割り当てるＳｌｏｗＣ＆Ｍ領域の開始アドレスＩＤと終了アドレスＩＤとして、‘４’と‘７’を取得する。同様にして、ベンダ領域データ処理部７６は、ＲＥ３３，３４に割り当てるＳｌｏｗＣ＆Ｍ領域の開始アドレスＩＤと終了アドレスＩＤとして、‘８’と‘Ｂ’、‘Ｃ’と‘Ｆ’を取得する。ベンダ領域データ処理部７６は、取得したこれらのアドレスＩＤと、自装置位置情報とを、ベンダ領域送信データとしてＣＰＲＩフレーム処理部７８に出力する。
【００６７】
ＳｌｏｗＣ＆Ｍ領域データ処理部７７は、ＳｌｏｗＣ＆Ｍ領域分割割り当て部７３から出力される分割割り当て情報に基づいて、監視制御部７２から出力されるＲＥ３１〜３４に送信するＳｌｏｗＣ＆Ｍ送信情報（監視制御情報）を監視制御信号のＳｌｏｗＣ＆Ｍ領域に割り当てる。ＳｌｏｗＣ＆Ｍ領域データ処理部７７は、ＳｌｏｗＣ＆Ｍ領域に割り当てたＳｌｏｗＣ＆Ｍ送信情報を、ＳｌｏｗＣ＆Ｍ送信データとしてＣＰＲＩフレーム処理部７８に出力する。
【００６８】
例えば、上記例の場合、ＲＥ３１には、アドレスＺ．１．０，Ｚ．１．１，Ｚ．１．２，Ｚ．１．３のＳｌｏｗＣ＆Ｍ領域が割り当てられている。従って、ＳｌｏｗＣ＆Ｍ領域データ処理部７７は、ＲＥ３１に送信するＳｌｏｗＣ＆Ｍ送信データを、監視制御信号のアドレスＺ．１．０，Ｚ．１．１，Ｚ．１．２，Ｚ．１．３のＳｌｏｗＣ＆Ｍ領域に割り当てる。また、ＳｌｏｗＣ＆Ｍ領域データ処理部７７は、ＲＥ３２に送信するＳｌｏｗＣ＆Ｍ送信データを、監視制御信号のアドレスＺ．６５．０，Ｚ．６５．１，Ｚ．６５．２，Ｚ．６５．３のＳｌｏｗＣ＆Ｍ領域に割り当てる。同様にして、ＳｌｏｗＣ＆Ｍ領域データ処理部７７は、ＲＥ３３，３４に送信するＳｌｏｗＣ＆Ｍ送信データを、監視制御信号のＳｌｏｗＣ＆Ｍ領域に割り当てる。ＳｌｏｗＣ＆Ｍ領域データ処理部７７は、ＳｌｏｗＣ＆Ｍ領域に割り当てたＳｌｏｗＣ＆Ｍ送信情報を、ＳｌｏｗＣ＆Ｍ送信データとしてＣＰＲＩフレーム処理部７８に出力する。
【００６９】
また、ＳｌｏｗＣ＆Ｍ領域データ処理部７７は、ＳｌｏｗＣ＆Ｍ領域分割割り当て部７３から出力される分割割り当て情報に基づいて、ＣＰＲＩフレーム処理部７８から出力されるＳｌｏｗＣ＆Ｍ受信データがどのＲＥ３１〜３４から送信されたデータであるか認識する。
【００７０】
例えば、ＳｌｏｗＣ＆Ｍ領域データ処理部７７は、Ｚ．１．０，Ｚ．１．１，Ｚ．１．２，Ｚ．１．３のＳｌｏｗＣ＆Ｍ領域に格納されたＳｌｏｗＣ＆Ｍ受信データを、ＲＥ３１から送信されたデータであると認識する。また、ＳｌｏｗＣ＆Ｍ領域データ処理部７７は、Ｚ．６５．０，Ｚ．６５．１，Ｚ．６５．２，Ｚ．６５．３のＳｌｏｗＣ＆Ｍ領域に格納されたＳｌｏｗＣ＆Ｍ受信データを、ＲＥ３２から送信されたデータであると認識する。同様に、ＳｌｏｗＣ＆Ｍ領域データ処理部７７は、ＲＥ３３，３４から送信されたデータを認識する。ＳｌｏｗＣ＆Ｍ領域データ処理部７７は、ＲＥ３１〜３４から受信したＳｌｏｗＣ＆Ｍ受信データを、ＳｌｏｗＣ＆Ｍ受信情報として監視制御部７２に出力する。
【００７１】
ＣＰＲＩフレーム処理部７８は、ベンダ領域データ処理部７６から出力されるベンダ領域送信データを監視制御信号のベンダ領域に格納し、監視制御信号のフレームを生成する。
【００７２】
例えば、ＣＰＲＩフレーム処理部７８は、ベンダ領域データ処理部７６から出力されるベンダ領域送信データの、ＲＥ３１〜３４に割り当てられた開始アドレスＩＤと終了アドレスＩＤとを、監視制御信号のベンダ領域に格納する。具体的には、ＣＰＲＩフレーム処理部７８は、ＲＥ３１に割り当てられた開始アドレスＩＤ‘０’と終了アドレスＩＤ‘３’を、図５に示したベンダ領域の‘ＲＥ１用ＳｌｏｗＣ＆Ｍアドレス情報’に格納する。ＣＰＲＩフレーム処理部７８は、ＲＥ３２に割り当てられた開始アドレスＩＤ‘４’と終了アドレスＩＤ‘７’を、図５に示したベンダ領域の‘ＲＥ２用ＳｌｏｗＣ＆Ｍアドレス情報’に格納する。同様に、ＣＰＲＩフレーム処理部７８は、ＲＥ３３，３４に割り当てられたアドレスＩＤを、‘ＲＥ３用ＳｌｏｗＣ＆Ｍアドレス情報’と‘ＲＥ４用ＳｌｏｗＣ＆Ｍアドレス情報’に格納する。また、ＣＰＲＩフレーム処理部７８は、ベンダ領域データ処理部７６から出力されるベンダ領域送信データに含まれる、自装置位置情報‘０’を、図５に示した位置情報に格納する。
【００７３】
また、ＣＰＲＩフレーム処理部７８は、ＳｌｏｗＣ＆Ｍ領域データ処理部７７から出力されるＳｌｏｗＣ＆Ｍ送信データを監視制御信号のＳｌｏｗＣ＆Ｍ領域に格納し、監視制御信号のフレームを生成する。
【００７４】
例えば、ＣＰＲＩフレーム処理部７８は、ＲＥ３１のＳｌｏｗＣ＆Ｍ送信データをアドレスＺ．１．０，Ｚ．１．１，Ｚ．１．２，Ｚ．１．３のＳｌｏｗＣ＆Ｍ領域に格納する。ＣＰＲＩフレーム処理部７８は、ＲＥ３２のＳｌｏｗＣ＆Ｍ送信データをアドレスＺ．６５．０，Ｚ．６５．１，Ｚ．６５．２，Ｚ．６５．３のＳｌｏｗＣ＆Ｍ領域に格納する。同様に、ＣＰＲＩフレーム処理部７８は、ＲＥ３３，３４のＳｌｏｗＣ＆Ｍ送信データを、割り当てられたアドレスのＳｌｏｗＣ＆Ｍ領域に格納する。
【００７５】
また、ＣＰＲＩフレーム処理部７８は、光デバイス７９から出力される受信監視制御信号のＳｌｏｗＣ＆Ｍ領域から、ＳｌｏｗＣ＆Ｍ受信データを抽出する。ＣＰＲＩフレーム処理部７８は、抽出したＳｌｏｗＣ＆Ｍ受信データをＳｌｏｗＣ＆Ｍ領域データ処理部７７に出力する。
【００７６】
光デバイス７９は、ＣＰＲＩフレーム処理部７８から出力される送信監視制御信号を光信号に変換して光ファイバに出力する。また、光デバイス７９は、光ファイバから受信した受信監視制御信号を電気信号に変換してＣＰＲＩフレーム処理部７８に出力する。
【００７７】
図１１は、ＲＥのブロック図である。図１１に示すようにＲＥ３１は、光デバイス８１，８８、ＣＰＲＩフレーム処理部８２，８７、ベンダ領域データ処理部８３，８６、位置情報処理部８４、ＳｌｏｗＣ＆Ｍ領域取得部８５、ＳｌｏｗＣ＆Ｍ領域データ処理部８９、監視制御部９０、および変換ＴＢ９１を有している。ＲＥ３２〜３４も図１１と同様のブロックを有し、その説明を省略する。
【００７８】
光デバイス８１は、光ファイバから監視制御信号を受信し、受信監視制御信号を電気信号に変換して、ＣＰＲＩフレーム処理部８２に出力する。また、光デバイス８１は、ＣＰＲＩフレーム処理部８２から出力される送信監視制御信号を光信号に変換し、光ファイバに出力する。
【００７９】
ＣＰＲＩフレーム処理部８２は、受信監視制御信号のベンダ領域に格納されている情報を抽出する。ＣＰＲＩフレーム処理部８２は、抽出したベンダ領域の情報をベンダ領域受信データとしてベンダ領域データ処理部８３に出力する。
【００８０】
また、ＣＰＲＩフレーム処理部８２は、受信監視制御信号のＳｌｏｗＣ＆Ｍ領域に格納されている監視制御情報を取得する。ＣＰＲＩフレーム処理部８２は、取得したＳｌｏｗＣ＆Ｍ領域の監視制御情報をＳｌｏｗＣ＆Ｍ受信データとしてＳｌｏｗＣ＆Ｍ領域データ処理部８９に出力する。
【００８１】
また、ＣＰＲＩフレーム処理部８２は、ＳｌｏｗＣ＆Ｍ領域データ処理部８９から出力されるＳｌｏｗＣ＆Ｍ送信データを、監視制御信号のフレームのＳｌｏｗＣ＆Ｍ領域に格納し、監視制御信号のフレームを生成する。ＣＰＲＩフレーム処理部８２は，生成した監視制御信号のフレームを送信監視制御信号として光デバイス８１に出力する。
【００８２】
ベンダ領域データ処理部８３は、ＣＰＲＩフレーム処理部８２から出力されるベンダ領域受信データから位置情報を抽出し、抽出した位置情報を自装置位置受信データとして位置情報処理部８４に出力する。また、ベンダ領域データ処理部８３は、ＣＰＲＩフレーム処理部８２から出力されるベンダ領域受信データから、ＳｌｏｗＣ＆Ｍアドレス情報を抽出する。例えば、ベンダ領域データ処理部８３は、図５に示したＲＥ１用ＳｌｏｗＣ＆Ｍアドレス情報〜ＲＥ４用ＳｌｏｗＣ＆Ｍアドレス情報を抽出する。ベンダ領域データ処理部８３は、抽出したＳｌｏｗＣ＆Ｍアドレス情報をＳｌｏｗＣ＆Ｍ領域取得部８５とベンダ領域データ処理部８６に出力する。
【００８３】
位置情報処理部８４は、ベンダ領域データ処理部８３から出力される自装置位置受信データに基づいて、自装置のデイジーチェーン接続の接続位置を認識する。ＲＥ３１は、１段目に接続されたＲＥであり、例えば、位置情報‘０’を受信するので、位置情報処理部８４は、位置情報‘０’に基づき１段目に接続されたＲＥであることを認識する。位置情報処理部８４は、認識した接続位置を接続位置情報として、ＳｌｏｗＣ＆Ｍ領域取得部８５に出力する。
【００８４】
また、位置情報処理部８４は、ベンダ領域データ処理部８３から出力された自装置位置受信データ（位置情報）に‘１’を加算（変更）し、自装置位置送信データとしてベンダ領域データ処理部８６に出力する。これにより、後段に接続されたＲＥ３２は、位置情報‘１’を受信し、２段目に接続されたＲＥであることを認識することができる。
【００８５】
ＳｌｏｗＣ＆Ｍ領域取得部８５は、位置情報処理部８４から出力される接続位置情報に基づいて、ベンダ領域データ処理部８３から出力されるＳｌｏｗＣ＆Ｍアドレス情報を参照し、自分に割り当てられたＳｌｏｗＣ＆Ｍ領域のアドレス情報（開始アドレスＩＤおよび終了アドレス）を取得する。ＳｌｏｗＣ＆Ｍ領域取得部８５は、取得したアドレス情報に基づいて、変換ＴＢ９１を参照し、自分に割り当てられたＳｌｏｗＣ＆Ｍ領域のアドレスを取得する。ＳｌｏｗＣ＆Ｍ領域取得部８５は、取得したＳｌｏｗＣ＆Ｍ領域のアドレスを、ＳｌｏｗＣ＆Ｍ領域割り当て情報としてＳｌｏｗＣ＆Ｍ領域データ処理部８９に出力する。
【００８６】
変換ＴＢ９１は、図８で示したように、ＳｌｏｗＣ＆Ｍ領域のアドレスとアドレスＩＤとの関係が記憶されている。
例えば、ＲＥ３１は、１段目のＲＥなので、ＳｌｏｗＣ＆Ｍ領域取得部８５は、接続位置情報‘０’を位置情報処理部８４から取得することになる。ＳｌｏｗＣ＆Ｍ領域取得部８５は、接続位置情報‘０’に基づいて、例えば、図５に示したベンダ領域のＲＥ１用ＳｌｏｗＣ＆Ｍアドレス情報（ＲＥ３１に割り当てられたＳｌｏｗＣ＆Ｍ領域のアドレス情報）を取得する。ＳｌｏｗＣ＆Ｍ領域取得部８５は、取得したアドレス情報に基づいて、変換ＴＢ９１を参照し、自分に割り当てられたＳｌｏｗＣ＆Ｍ領域のアドレスを取得する。例えば、ＳｌｏｗＣ＆Ｍ領域取得部８５は、アドレスＺ．１．０，Ｚ．１．１，Ｚ．１．２，Ｚ．１．３を取得する。ＳｌｏｗＣ＆Ｍ領域取得部８５は、取得したこれらのＳｌｏｗＣ＆Ｍ領域のアドレスを、ＳｌｏｗＣ＆Ｍ領域割り当て情報としてＳｌｏｗＣ＆Ｍ領域データ処理部８９に出力する。
【００８７】
ベンダ領域データ処理部８６は、位置情報処理部８４から出力される自装置位置送信データと、ベンダ領域データ処理部８３から出力されるＳｌｏｗＣ＆Ｍアドレス情報とを、監視制御信号のベンダ領域に格納されるベンダ領域送信データとしてＣＰＲＩフレーム処理部８７に出力する。すなわち、ＲＥＣ２１から受信した監視制御信号のベンダ領域の情報は、次段のＲＥ３２に送信されることになる。ただし、位置情報は、位置情報処理部８４によって‘１’が加算されている。
【００８８】
ＣＰＲＩフレーム処理部８７は、ベンダ領域データ処理部８６から出力されるベンダ領域送信データを、監視制御信号のフレームのベンダ領域に格納する。例えば、ＣＰＲＩフレーム処理部８７は、図５に示したベンダ領域の位置情報と、ＲＥ１用ＳｌｏｗＣ＆Ｍアドレス情報〜ＲＥ４用ＳｌｏｗＣ＆Ｍアドレス情報との領域に、ベンダ領域送信データを格納する。
【００８９】
また、ＣＰＲＩフレーム処理部８７は、ＳｌｏｗＣ＆Ｍ領域データ処理部８９から出力されるＳｌｏｗＣ＆Ｍ次リンク送信データを、監視制御信号のＳｌｏｗＣ＆Ｍ領域に格納する。すなわち、ＲＥＣ２１から受信した監視制御信号のＳｌｏｗＣ＆Ｍ領域の情報は、次段のＲＥ３２に送信されることになる。
【００９０】
また、ＣＰＲＩフレーム処理部８７は、光デバイス８８から出力される次段受信監視制御信号からＳｌｏｗＣ＆Ｍ領域のデータを抽出し、ＳｌｏｗＣ＆Ｍ次リンク受信データとしてＳｌｏｗＣ＆Ｍ領域データ処理部８９に出力する。すなわち、ＲＥ３２から受信した監視制御信号のＳｌｏｗＣ＆Ｍ領域の情報は、ＲＥＣ２１（または前段のＲＥ）に送信されることになる。
【００９１】
ＣＰＲＩフレーム処理部８７は、ベンダ領域データ処理部８６から出力されるベンダ領域送信データを含む次段送信監視制御信号を生成し、光デバイス８８に出力する。また、ＣＰＲＩフレーム処理部８７は、ＳｌｏｗＣ＆Ｍ領域データ処理部８９から出力されるＣ＆Ｍ次リンク送信データを含む次段送信監視制御信号を生成し、光デバイス８８に出力する。
【００９２】
光デバイス８８は、ＣＰＲＩフレーム処理部８７から出力される次段送信監視制御信号を光信号に変換して光ファイバに出力する。また、光デバイス８８は、光ファイバから受信した次段受信監視制御信号を電気信号に変換してＣＰＲＩフレーム処理部８７に出力する。
【００９３】
ＳｌｏｗＣ＆Ｍ領域データ処理部８９は、ＣＰＲＩフレーム処理部８２から出力されるＳｌｏｗＣ＆Ｍ受信データを、次段のＲＥ３２に送信するために、ＳｌｏｗＣ＆Ｍ次リンク送信データとしてＣＰＲＩフレーム処理部８７に出力する。
【００９４】
また、ＳｌｏｗＣ＆Ｍ領域データ処理部８９は、ＳｌｏｗＣ＆Ｍ領域取得部８５から出力されるＳｌｏｗＣ＆Ｍ領域割り当て情報に基づいて、ＣＰＲＩフレーム処理部８２より出力されるＳｌｏｗＣ＆Ｍ受信データから自分宛の監視制御情報を取得する。ＳｌｏｗＣ＆Ｍ領域データ処理部８９は、取得したＳｌｏｗＣ＆Ｍ領域の監視制御情報をＳｌｏｗＣ＆Ｍ受信情報として監視制御部９０に出力する。
【００９５】
例えば、ＳｌｏｗＣ＆Ｍ領域データ処理部８９は、ＳｌｏｗＣ＆Ｍ領域取得部８５からアドレスＺ．１．０，Ｚ．１．１，Ｚ．１．２，Ｚ．１．３のＳｌｏｗＣ＆Ｍ領域割り当て情報が出力されている場合、当該アドレスに基づいて監視制御信号のＳｌｏｗＣ＆Ｍ領域を参照し、ＳｌｏｗＣ＆Ｍ領域に格納されている監視制御情報を取得する。ＳｌｏｗＣ＆Ｍ領域取得部８５は、取得したＳｌｏｗＣ＆Ｍ領域の監視制御情報をＳｌｏｗＣ＆Ｍ受信情報として監視制御部９０に出力する。
【００９６】
また、ＳｌｏｗＣ＆Ｍ領域データ処理部８９は、監視制御部９０から出力されるＳｌｏｗＣ＆Ｍ送信情報（自装置に関する監視制御情報）を、ＳｌｏｗＣ＆Ｍ領域取得部８５から出力されるＳｌｏｗＣ＆Ｍ領域割り当て情報に基づいて、ＳｌｏｗＣ＆Ｍ領域に割り当てる。
【００９７】
例えば、ＳｌｏｗＣ＆Ｍ領域データ処理部８９は、ＳｌｏｗＣ＆Ｍ領域取得部８５からアドレスＺ．１．０，Ｚ．１．１，Ｚ．１．２，Ｚ．１．３のＳｌｏｗＣ＆Ｍ領域割り当て情報が出力されている場合、当該アドレスのＳｌｏｗＣ＆Ｍ領域に、ＳｌｏｗＣ＆Ｍ送信情報を割り当てる。
【００９８】
ＳｌｏｗＣ＆Ｍ領域データ処理部８９は、ＳｌｏｗＣ＆Ｍ領域割り当て情報のアドレスに割り当てたＳｌｏｗＣ＆Ｍ送信情報と、ＣＰＲＩフレーム処理部８７から出力されるＳｌｏｗＣ＆Ｍ次リンク受信データとを、ＳｌｏｗＣ＆Ｍ送信データとしてＣＰＲＩフレーム処理部８２に出力する。
【００９９】
監視制御部９０は、ＳｌｏｗＣ＆Ｍ領域データ処理部８９から出力されるＳｌｏｗＣ＆Ｍ受信情報を受信する。すなわち、監視制御部９０は、ＲＥＣ２１から送信された自分宛の監視制御情報を受信する。監視制御部９０は、ＲＥＣ２１から監視制御情報を受信すると、受信した監視制御情報に基づいて、各種監視制御処理を行う。監視制御部９０は、自装置に関する監視制御処理に関する結果をＳｌｏｗＣ＆Ｍ送信情報（監視制御情報）としてＳｌｏｗＣ＆Ｍ領域データ処理部８９に出力する。
【０１００】
図１２は、ＲＥＣのＳｌｏｗＣ＆Ｍ領域の分割処理を示したシーケンス図である。ＲＥＣ１２は、以下のステップの処理を実行することにより、ＲＥ３１〜３４に監視制御情報を送受信するためのＳｌｏｗＣ＆Ｍ領域を分割してＲＥ３１〜３４に割り当て、その情報をＲＥ３１〜３４に送信する。
【０１０１】
［ステップＳ１］監視制御部７２は、例えば、電源投入により、ＲＥＣ２１を起動する。
［ステップＳ２］監視制御部７２は、運用データＤＢ７１から運用データを読み出す。運用データには、ＲＥＣ２１の初期設定情報の他に、デイジーチェーン接続情報が含まれる。
【０１０２】
［ステップＳ３］監視制御部７２は、運用データに含まれる初期設定情報に基づいて、ＲＥＣ２１を初期設定する。
［ステップＳ４］監視制御部７２は、運用データからデイジーチェーン接続情報を抽出する。
【０１０３】
［ステップＳ５］監視制御部７２は、運用データから抽出したデイジーチェーン接続情報をＳｌｏｗＣ＆Ｍ領域分割割り当て部７３に出力する。
［ステップＳ６］ＳｌｏｗＣ＆Ｍ領域分割割り当て部７３は、デイジーチェーン接続情報に基づいてＳｌｏｗＣ＆Ｍ領域を分割し、分割したＳｌｏｗＣ＆Ｍ領域をＲＥ３１〜３４に割り当てる。
【０１０４】
［ステップＳ７］ＳｌｏｗＣ＆Ｍ領域分割割り当て部７３は、ＳｌｏｗＣ＆Ｍ領域の分割割り当て結果を、ＳｌｏｗＣ＆Ｍ領域の分割割り当て情報としてベンダ領域データ処理部７６に出力する。
【０１０５】
［ステップＳ８］位置情報設定部７４は、自装置位置情報をベンダ領域データ処理部７６に出力する。自装置位置情報は、ＲＥ３１〜３４が自分の接続位置を認識するための位置情報であり、例えば、‘０’である。
【０１０６】
［ステップＳ９］ベンダ領域データ処理部７６は、ＳｌｏｗＣ＆Ｍ領域分割割り当て部７３から出力される分割割り当て情報に基づいて変換ＴＢ７５を参照し、監視制御信号のベンダ領域に格納するアドレスＩＤを取得する。すなわち、ベンダ領域データ処理部７６は、ＲＥ３１〜３４に割り当てられたＳｌｏｗＣ＆Ｍ領域のアドレスＩＤを取得する。
【０１０７】
［ステップＳ１０］ベンダ領域データ処理部７６は、取得したアドレスＩＤと、位置情報設定部７４から受信した自装置位置情報とを、ベンダ領域送信データとしてＣＰＲＩフレーム処理部７８に出力する。
【０１０８】
［ステップＳ１１］ＣＰＲＩフレーム処理部７８は、ベンダ領域データ処理部７６から出力されるベンダ領域送信データの、ＲＥ３１〜３４に割り当てられたアドレスＩＤを監視制御信号のベンダ領域に格納する。また、ＣＰＲＩフレーム処理部７８は、ベンダ領域データ処理部７６から出力されるベンダ領域送信データに含まれる自装置位置情報を、ベンダ領域に格納する。ＣＰＲＩフレーム処理部７８は、ベンダ領域にベンダ領域送信データを格納した送信監視制御信号を光デバイス７９に出力する。光デバイス７９は、送信監視制御信号を光信号に変換し、光ファイバを介して、ＲＥ３１に送信する。
【０１０９】
図１３は、ＲＥのＳｌｏｗＣ＆Ｍ領域の割り当て情報受信処理を示したシーケンス図である。図１３には、ＲＥ３１のシーケンスを示している。ＲＥ３１は、以下のステップの処理を実行することにより、自分に割り当てられたＳｌｏｗＣ＆Ｍ領域のアドレスに関する情報を取得し、その情報をさらに次段のＲＥ３２〜３４へと送信する。
【０１１０】
［ステップＳ２１］光デバイス８１は、光ファイバから監視制御信号を受信し、電気信号の受信監視制御信号に変換してＣＰＲＩフレーム処理部８２に出力する。
［ステップＳ２２］ＣＰＲＩフレーム処理部８２は、受信監視制御信号のベンダ領域に格納されている情報（ベンダ領域受信データ）を抽出する。受信監視制御信号のベンダ領域には、ＲＥ３１〜３４に割り当てられたＳｌｏｗＣ＆Ｍ領域のアドレス情報と、ＲＥ３１〜３４が自分の接続位置を認識するための位置情報とが格納されている。
【０１１１】
［ステップＳ２３］ＣＰＲＩフレーム処理部８２は、抽出したベンダ領域受信データをベンダ領域データ処理部８３に出力する。
［ステップＳ２４］ベンダ領域データ処理部８３は、ＣＰＲＩフレーム処理部８２から受信したベンダ領域受信データから自装置位置受信データ（位置情報）を抽出する。
【０１１２】
［ステップＳ２５］ベンダ領域データ処理部８３は、抽出した自装置位置受信データを位置情報処理部８４に出力する。
［ステップＳ２６］位置情報処理部８４は、ベンダ領域データ処理部８３から出力される自装置位置受信データに基づいて、自装置のデイジーチェーン接続の接続位置を認識する。例えば、位置情報処理部８４は、‘０’の自装置位置受信データにより、自装置はＲＥＣ２１から１段目に接続されていることを認識する。
【０１１３】
［ステップＳ２７］位置情報処理部８４は、認識した接続位置を接続位置情報としてＳｌｏｗＣ＆Ｍ領域取得部８５に出力する。
［ステップＳ２８］位置情報処理部８４は、ベンダ領域データ処理部８３から出力される自装置維持受信データに‘１’を加算した自装置位置送信データを生成する。なお、‘１’が加算された自装置位置送信データ（位置情報）は、次段のＲＥ３２に送信され、これにより、ＲＥ３２は、ＲＥＣ２１から２段目に接続されていることを認識することができる。
【０１１４】
［ステップＳ２９］位置情報処理部８４は、生成した自装置位置送信データをベンダ領域データ処理部８６に出力する。
［ステップＳ３０］ベンダ領域データ処理部８３は、ＣＰＲＩフレーム処理部８２から受信したベンダ領域受信データから、ＳｌｏｗＣ＆Ｍアドレス情報を抽出する。例えば、ベンダ領域データ処理部８３は、図５に示したＲＥ１用ＳｌｏｗＣ＆Ｍアドレス情報〜ＲＥ４用ＳｌｏｗＣ＆Ｍアドレス情報を抽出する。
【０１１５】
［ステップＳ３１］ベンダ領域データ処理部８３は、抽出したＳｌｏｗＣ＆Ｍアドレス情報を、ＳｌｏｗＣ＆Ｍ領域取得部８５とベンダ領域データ処理部８６に出力する。
［ステップＳ３２］ベンダ領域データ処理部８６は、位置情報処理部８４から出力される自装置位置送信データと、ベンダ領域データ処理部８３から出力されるＳｌｏｗＣ＆Ｍアドレス情報とを、監視制御信号のベンダ領域に格納されるベンダ領域送信データとして、ＣＰＲＩフレーム処理部８７に出力する。すなわち、ＲＥＣ２１がＲＥ３１〜３４に割り当てたＳｌｏｗＣ＆Ｍ領域の割り当て情報と、‘１’が加算された位置情報とが、監視制御信号のベンダ領域に格納されて、次段のＲＥ３２に送信されることになる。
【０１１６】
［ステップＳ３３］ＣＰＲＩフレーム処理部８７は、ベンダ領域データ処理部８６から出力されるベンダ領域送信データを、監視制御信号のベンダ領域に格納し、次段送信監視制御信号として光デバイス８８に出力する。光デバイス８８は、次段送信監視制御信号を光信号に変換し、光ファイバを介して、次段のＲＥ３２に送信する。
【０１１７】
［ステップＳ３４］ＳｌｏｗＣ＆Ｍ領域取得部８５は、位置情報処理部８４から出力される接続位置情報に基づいて、ベンダ領域データ処理部８３から出力されるＳｌｏｗＣ＆Ｍアドレス情報を参照し、自分に割り当てられたＳｌｏｗＣ＆Ｍ領域のアドレス情報を取得する。例えば、ＳｌｏｗＣ＆Ｍ領域取得部８５は、接続位置情報‘０’に基づいて、図５に示したベンダ領域のＲＥ１用ＳｌｏｗＣ＆Ｍアドレス情報を取得する。ＳｌｏｗＣ＆Ｍ領域取得部８５は、取得したアドレス情報（アドレスＩＤ）に基づいて変換ＴＢ９１を参照し、自分に割り当てられたＳｌｏｗＣ＆Ｍ領域のアドレスを取得する。
【０１１８】
［ステップＳ３５］ＳｌｏｗＣ＆Ｍ領域取得部８５は、取得したアドレスを、ＳｌｏｗＣ＆Ｍ領域割り当て情報としてＳｌｏｗＣ＆Ｍ領域データ処理部８９に出力する。
図１４は、ＲＥＣの監視制御情報の送信処理を示したシーケンス図である。ＲＥＣ２１は、以下のステップの処理を実行することにより、ＲＥ３１〜３４に送信する監視制御情報をＳｌｏｗＣ＆Ｍ領域を割り当て、ＲＥ３１〜３４に送信する。
【０１１９】
［ステップＳ４１］ＳｌｏｗＣ＆Ｍ領域分割割り当て部７３は、ＲＥ３１〜３４に割り当てたＳｌｏｗＣ＆Ｍ領域の分割割り当て情報を、ＳｌｏｗＣ＆Ｍ領域データ処理部７７に出力する。
【０１２０】
［ステップＳ４２］監視制御部７２は、ＲＥ３１〜３４に送信する監視制御情報を、ＳｌｏｗＣ＆Ｍ送信情報としてＳｌｏｗＣ＆Ｍ領域データ処理部７７に出力する。
［ステップＳ４３］ＳｌｏｗＣ＆Ｍ領域データ処理部７７は、ＳｌｏｗＣ＆Ｍ領域分割割り当て部７３から出力される分割割り当て情報に基づいて、監視制御部７２から出力されるＳｌｏｗＣ＆Ｍ送信情報を、監視制御信号のＳｌｏｗＣ＆Ｍ領域に割り当てる。
【０１２１】
［ステップＳ４４］ＳｌｏｗＣ＆Ｍ領域データ処理部７７は、ＳｌｏｗＣ＆Ｍ領域に割り当てたＳｌｏｗＣ＆Ｍ送信情報を、ＳｌｏｗＣ＆Ｍ送信データとしてＣＰＲＩフレーム処理部７８に出力する。
【０１２２】
［ステップＳ４５］ＣＰＲＩフレーム処理部７８は、ＳｌｏｗＣ＆Ｍ領域データ処理部７７から出力されるＳｌｏｗＣ＆Ｍ送信データを監視制御信号のＳｌｏｗＣ＆Ｍ領域に格納し、送信監視制御信号を生成する。
【０１２３】
［ステップＳ４６］ＣＰＲＩフレーム処理部７８は、生成した送信監視制御信号を光デバイス７９に出力する。光デバイス７９は、送信監視制御信号を光信号に変換し、光ファイバを介して、ＲＥ３１に出力する。
【０１２４】
図１５は、ＲＥの監視制御情報の受信処理を示したシーケンス図である。ＲＥ３１は、以下のステップの処理を実行することにより、ＲＥＣ２１から送信される監視制御情報を受信し、自分宛の監視制御情報を取得する。また、ＲＥ３１は、受信した監視制御情報を次段のＲＥ３２に送信する。
【０１２５】
［ステップＳ５１］光デバイス８１は、光ファイバから監視制御信号を受信し、受信監視制御信号の電気信号に変換して、ＣＰＲＩフレーム処理部８２に出力する。
［ステップＳ５２］ＣＰＲＩフレーム処理部８２は、受信監視制御信号のＳｌｏｗＣ＆Ｍ領域に格納されている監視制御情報を取得する。
【０１２６】
［ステップＳ５３］ＣＰＲＩフレーム処理部８２は、取得したＳｌｏｗＣ＆Ｍ領域の監視制御情報を、ＳｌｏｗＣ＆Ｍ受信データとしてＳｌｏｗＣ＆Ｍ領域データ処理部８９に出力する。
【０１２７】
［ステップＳ５４］ＳｌｏｗＣ＆Ｍ領域データ処理部８９は、ＣＰＲＩフレーム処理部８２から出力されるＳｌｏｗＣ＆Ｍ受信データを、次段のＲＥ３２に送信するために、ＳｌｏｗＣ＆Ｍ次リンク送信データとしてＣＰＲＩフレーム処理部８７に出力する。
【０１２８】
［ステップＳ５５］ＣＰＲＩフレーム処理部８７は、ＳｌｏｗＣ＆Ｍ領域データ処理部８９から出力されるＳｌｏｗＣ＆Ｍ次リンク送信データを、監視制御信号のＳｌｏｗＣ＆Ｍ領域に格納し、次段送信監視制御信号を生成する。
【０１２９】
［ステップＳ５６］ＣＰＲＩフレーム処理部８７は、生成した次段送信監視制御信号を光デバイス８８に出力する。光デバイス８８は、次段送信監視制御信号を光信号に変換し、光ファイバを介して、次段のＲＥ３２に送信する。
【０１３０】
［ステップＳ５７］ＳｌｏｗＣ＆Ｍ領域データ処理部８９は、ＳｌｏｗＣ＆Ｍ領域取得部８５によって取得されたＳｌｏｗＣ＆Ｍ領域割り当て情報（図１３のステップＳ３５）に基づいて、ＣＰＲＩフレーム処理部８２より出力されるＳｌｏｗＣ＆Ｍ受信データから自分宛の監視制御情報を取得する。
【０１３１】
［ステップＳ５８］ＳｌｏｗＣ＆Ｍ領域データ処理部８９は、取得したＳｌｏｗＣ＆Ｍ領域の監視制御情報を、ＳｌｏｗＣ＆Ｍ受信情報として監視制御部９０に出力する。
［ステップＳ５９］監視制御部９０は、ＲＥＣ２１からの監視制御情報を受信すると、受信した監視制御情報に基づいて、各種監視制御処理を行う。
【０１３２】
図１６は、ＲＥの監視制御情報の送信処理を示したシーケンス図である。ＲＥ３１は、以下のステップの処理を実行することにより、後段のＲＥ３２から監視制御情報を含む監視制御信号を受信し、自装置の監視制御情報を監視制御信号に含めて、ＲＥＣ２１（または次段のＲＥ）に出力する。
【０１３３】
［ステップＳ６１］光デバイス８８は、光ファイバを介して後段のＲＥ３２から監視制御信号を受信し、電気信号の次段受信監視制御信号に変換してＣＰＲＩフレーム処理部８７に出力する。
【０１３４】
［ステップＳ６２］ＣＰＲＩフレーム処理部８７は、光デバイス８８から出力される次段受信監視制御信号のＳｌｏｗＣ＆Ｍ領域からデータを抽出する。
［ステップＳ６３］ＣＰＲＩフレーム処理部８７は、次段受信監視制御信号のＳｌｏｗＣ＆Ｍ領域から抽出したデータを、ＳｌｏｗＣ＆Ｍ次リンク受信データとしてＳｌｏｗＣ＆Ｍ領域データ処理部８９に出力する。
【０１３５】
［ステップＳ６４］監視制御部９０は、自装置に関する監視制御情報を、ＳｌｏｗＣ＆Ｍ送信情報としてＳｌｏｗＣ＆Ｍ領域データ処理部８９に出力する。
［ステップＳ６５］ＳｌｏｗＣ＆Ｍ領域データ処理部８９は、ＣＰＲＩフレーム処理部８７から出力されるＳｌｏｗＣ＆Ｍ次リンク受信データと、監視制御部９０から出力されるＳｌｏｗＣ＆Ｍ送信情報とを、ＳｌｏｗＣ＆Ｍ領域取得部８５によって取得されたＳｌｏｗＣ＆Ｍ領域割り当て情報（図１３のステップＳ３５）に基づいて、ＳｌｏｗＣ＆Ｍ領域に割り当てる。
【０１３６】
［ステップＳ６６］ＳｌｏｗＣ＆Ｍ領域データ処理部８９は、ＳｌｏｗＣ＆Ｍ領域に割り当てたＳｌｏｗＣ＆Ｍ次リンク受信データとＳｌｏｗＣ＆Ｍ送信情報とを、ＳｌｏｗＣ＆Ｍ送信データとしてＣＰＲＩフレーム処理部８２に出力する。
【０１３７】
［ステップＳ６７］ＣＰＲＩフレーム処理部８２は、ＳｌｏｗＣ＆Ｍ領域データ処理部８９から出力されるＳｌｏｗＣ＆Ｍ送信データを、監視制御信号のＳｌｏｗＣ＆Ｍ領域に格納し、送信監視制御信号を生成する。
【０１３８】
［ステップＳ６８］ＣＰＲＩフレーム処理部８２は、生成した送信監視制御信号を光デバイス８１に出力する。光デバイス８１は、送信監視制御信号を光信号に変換し、光ファイバを介して、ＲＥＣ２１に出力する。
【０１３９】
図１７は、ＲＥＣの監視制御情報の受信処理を示したシーケンス図である。ＲＥＣ２１は、以下のステップの処理を実行することにより、ＲＥ３１〜ＲＥ３４の監視制御情報を含む監視制御信号を受信する。
【０１４０】
［ステップＳ７１］光デバイス７９は、ＲＥ３１から光ファイバを介して監視制御信号を受信し、受信監視制御信号の電気信号に変換してＣＰＲＩフレーム処理部７８に出力する。
【０１４１】
［ステップＳ７２］ＣＰＲＩフレーム処理部７８は、受信監視制御信号のＳｌｏｗＣ＆Ｍ領域から、ＳｌｏｗＣ＆Ｍ受信データを抽出する。すなわち、ＣＰＲＩフレーム処理部７８は、ＳｌｏｗＣ＆Ｍ領域に格納されているＲＥ３１〜３４の監視制御情報を抽出する。
【０１４２】
［ステップＳ７３］ＣＰＲＩフレーム処理部７８は、抽出したＳｌｏｗＣ＆Ｍ受信データをＳｌｏｗＣ＆Ｍ領域データ処理部７７に出力する。
［ステップＳ７４］ＳｌｏｗＣ＆Ｍ領域データ処理部７７は、ＳｌｏｗＣ＆Ｍ領域分割割り当て部７３から出力された分割割り当て情報（図１２のステップＳ７）に基づいて、ＣＰＲＩフレーム処理部７８から出力されるＳｌｏｗＣ＆Ｍ受信データがどのＲＥ３１〜３４から送信されたデータであるか認識し、ＳｌｏｗＣ＆Ｍ受信情報（監視制御情報）を生成する。
【０１４３】
［ステップＳ７５］ＳｌｏｗＣ＆Ｍ領域データ処理部７７は、ＲＥ３１〜３４のＳｌｏｗＣ＆Ｍ受信情報を監視制御部７２に出力する。
このように、ＲＥＣ２１は、監視制御信号のＳｌｏｗＣ＆Ｍ領域を分割して複数のＲＥ３１〜３４に割り当てる。これにより、ＲＥ３１〜３４によるＳｌｏｗＣ＆Ｍ領域の占有を防止でき、ＲＥＣ２１とＲＥ３１〜３４との間の通信を確保することができる。
【０１４４】
また、ＲＥ３１〜３４は、ＲＥＣ２１によって割り当てられたＳｌｏｗＣ＆Ｍ領域によってＲＥＣ２１と監視制御情報の送受信を行うので、ＳｌｏｗＣ＆Ｍ領域のＲＥ３１〜３４による占有を防止でき、ＲＥＣ２１とＲＥ３１〜３４との間の通信を確保することができる。
【０１４５】
また、位置情報によってＲＥ３１〜３４は、自己の接続位置を認識する。これにより、ＲＥを追加接続することができる。
また、監視制御信号のベンダ領域は、ＳｌｏｗＣ＆Ｍ領域より早くリンク接続が確立される。従って、ベンダ領域によってＳｌｏｗＣ＆Ｍ領域のアドレス情報を送信することにより、ＳｌｏｗＣ＆Ｍ領域のリンク接続前にＳｌｏｗＣ＆Ｍ領域の割り当て情報をＲＥ３１〜３４に送信することができる。
【０１４６】
なお、上記では、ＳｌｏｗＣ＆Ｍ領域について説明したが、ＦａｓｔＣ＆Ｍ領域についても同様にＲＥ３１〜３４に割り当て通信することができる。
また、ＳｌｏｗＣ＆Ｍ領域の個数は、１６個として説明したがこれに限るものではなく、Ｙの値によって可変することができる。
【０１４７】
また、ＳｌｏｗＣ＆Ｍ領域をＲＥ３１〜３４に均等に分割して割り当てたが、これに限るものではない。例えば、多くの監視制御情報の送受信が必要なＲＥ３１〜３４に対しては、他のＲＥ３１〜３４に対し、多くのＳｌｏｗＣ＆Ｍ領域を割り当てるようにしてもよい。
【０１４８】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１４９】
１  無線装置制御装置
１ａ  分割割り当て部
１ｂ  送信部
２，３  無線装置
２ａ  受信部
２ｂ  位置認識部
２ｃ  取得部
【図１】
2010137126.tif 000003
【図２】
2010137126.tif 000004
【図３】
2010137126.tif 000005
【図４】
2010137126.tif 000006
【図５】
2010137126.tif 000007
【図６】
2010137126.tif 000008
【図７】
2010137126.tif 000009
【図８】
2010137126.tif 000010
【図９】
2010137126.tif 000011
【図１０】
2010137126.tif 000012
【図１１】
2010137126.tif 000013
【図１２】
2010137126.tif 000014
【図１３】
2010137126.tif 000015
【図１４】
2010137126.tif 000016
【図１５】
2010137126.tif 000017
【図１６】
2010137126.tif 000018
【図１７】
2010137126.tif 000019
【図１８】
2010137126.tif 000020
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
内部でのデータ転送を共通インターフェースに基づいて行う基地局の無線装置制御装置において、
当該無線装置制御装置にデイジーチェーン接続される複数の無線装置と情報を送受信するためのフレームの情報領域を分割して前記複数の無線装置に割り当てる分割割り当て部と、
前記分割割り当て部によって前記複数の無線装置に割り当てられた前記情報領域のアドレス情報を前記複数の無線装置に送信する送信部と、
を有することを特徴とする無線装置制御装置。
【請求項２】
前記送信部は、前記フレームのベンダが自由に使用できるベンダ領域に前記アドレス情報を格納して前記複数の無線装置に送信することを特徴とする請求項１記載の無線装置制御装置。
【請求項３】
前記送信部は、前記ベンダ領域に前記複数の無線装置が自無線装置の接続位置を認識するための位置情報を格納することを特徴とする請求項２記載の無線装置制御装置。
【請求項４】
前記送信部は、前記複数の無線装置が前記位置情報に基づいて前記アドレス情報を取得できるように前記ベンダ領域に前記アドレス情報を格納して送信することを特徴とする請求項３記載の無線装置制御装置。
【請求項５】
前記分割割り当て部は、前記複数の無線装置の台数分前記情報領域を分割することを特徴とする請求項１記載の無線装置制御装置。
【請求項６】
内部でのデータ転送を共通インターフェースに基づいて行う基地局の無線装置において、
当該無線装置を制御する無線装置制御装置または他の無線装置からフレームを受信する受信部と、
前記受信部によって受信された前記フレームに含まれる位置情報に基づいて前記無線装置制御装置にデイジーチェーン接続されている自無線装置の接続位置を認識する位置認識部と、
前記位置認識部によって認識された自無線装置の接続位置に基づいて前記フレームを参照し、前記無線装置制御装置と情報を送受信するための前記フレームの情報領域のアドレス情報を取得する取得部と、
を有することを特徴とする無線装置。
【請求項７】
前記位置認識部は、後段の無線装置が自無線装置の接続位置を認識できるように、前記後段の無線装置に送信する前記フレームに含まれる前記位置情報を変更することを特徴とする請求項６記載の無線装置。
【請求項８】
前記無線装置制御装置から当該無線装置宛に送信される前記情報を、前記取得部によって取得した前記アドレス情報に基づいて前記フレームの前記情報領域を参照して取得し、当該無線装置から前記無線装置制御装置に送信する前記情報を、前記取得部によって取得した前記アドレス情報に基づいて前記フレームの前記情報領域に格納する情報処理部をさらに有することを特徴とする請求項６記載の無線装置。
【請求項９】
内部でのデータ転送を共通インターフェースに基づいて行う基地局の無線装置制御装置の通信方法において、
当該無線装置制御装置にデイジーチェーン接続される複数の無線装置と情報を送受信するためのフレームの情報領域を分割して前記複数の無線装置に割り当てし、
前記複数の無線装置に割り当てられた前記情報領域のアドレス情報を前記複数の無線装置に送信する、
ことを特徴とする通信方法。
【請求項１０】
内部でのデータ転送を共通インターフェースに基づいて行う基地局の無線装置の通信方法において、
当該無線装置を制御する無線装置制御装置または他の無線装置からフレームを受信し、
受信された前記フレームに含まれる位置情報に基づいて前記無線装置制御装置にデイジーチェーン接続されている自無線装置の接続位置を認識し、
認識された自無線装置の接続位置に基づいて前記フレームを参照し、前記無線装置制御装置と情報を送受信するための前記フレームの情報領域のアドレス情報を取得する、
ことを特徴とする通信方法。
【国際調査報告】
2010137126.tif 000021
2010137126.tif 000022
2010137126.tif 000023
2010137126.tif 000024